(57)【要約】【課題】  ＰＯＩ情報を有効に活用可能な技術を提供する。【解決手段】  ＰＯＩ情報のうち、ユーザの周知の店舗や施設等の情報を既知リストに登録する。ＰＯＩ情報を表示する場合、既知リストに登録されているものは表示しない、又は、表示形態を変更するように制御する。また、ＰＯＩ情報をユーザの任意のジャンルで分類する。同一のジャンルにおいて、到着した店舗や施設が所定数以上である場合、そのＰＯＩ情報の表示形態を変更するように制御する。【選択図】  図１
2008058617.tif 000002
【特許請求の範囲】
【請求項１】
車載装置であって、
場所に関する情報であるＰＯＩ情報を記憶するＰＯＩ情報記憶手段と、
前記ＰＯＩ情報を出力装置に出力する出力制御手段と、
入力装置から、前記出力装置に出力されたＰＯＩ情報のうち少なくとも１つの指示を受け付ける受付手段と、
前記受け付けたＰＯＩ情報を既知ＰＯＩ情報として記憶する既知ＰＯＩ情報記憶手段と、を有し、
前記出力制御手段は、前記出力装置に、前記ＰＯＩ情報を、前記既知ＰＯＩ情報に応じて異なる出力形態で出力すること
を特徴とする車載装置。
【請求項２】
請求項１記載の車載装置であって、
前記ＰＯＩ情報は、場所の位置情報を含み、
前記出力制御手段は、前記出力装置に、前記ＰＯＩ情報の場所を地図に位置付けて、前記既知ＰＯＩ情報に応じて異なる出力形態で前記ＰＯＩ情報をさらに出力すること
を特徴とする車載装置。
【請求項３】
車載装置であって、
場所に関する情報と、該場所の位置情報とを含むＰＯＩ情報を記憶するＰＯＩ情報記憶手段と、
前記ＰＯＩ情報を出力装置に出力する出力制御手段と、
入力装置から、前記出力装置に出力されたＰＯＩ情報のうち少なくとも１つと、該ＰＯＩ情報のジャンルとを受け付ける受付手段と、
前記受け付けたＰＯＩ情報及びジャンルを対応付けて記憶するジャンル情報記憶手段と、
車両が到着した位置情報を記憶する到着履歴情報記憶手段と、を有し、
前記出力制御手段は、各ジャンルにおいて到着した場所が所定数以上である場合、該到着している場所のＰＯＩ情報の出力形態を変化させて前記出力装置に出力すること
を特徴とする車載装置。
【発明の詳細な説明】
【技術分野】
【０００１】
本発明は、車両等に搭載されるナビゲーションシステムに関するものである。
【背景技術】
【０００２】
車載用ナビゲーションシステムは、ＨＤＤ（Hard Disk Drive）等の記憶装置にＰＯＩ（Point Of Interest）情報を記憶している。このＰＯＩ情報は、店舗や施設等の場所に関する情報である。具体的には、例えば、ＰＯＩ情報は、店舗や施設等の位置や、それらの店舗や施設等で提供されるサービスに関する情報等を含むものである。ＰＯＩ情報は、工場出荷時等に予め格納されるものや、サーバ等から送信等されるものがある。特許文献１には、ＰＯＩ情報を用いた処理を行なう技術が記載されている。
【０００３】
【特許文献１】特開２００５−３３９２７９号広報
【発明の開示】
【発明が解決しようとする課題】
【０００４】
一般的に、ＰＯＩ情報には有効期限が設定されている。この有効期限が経過すると、そのＰＯＩ情報は削除される。従って、ＰＯＩ情報を有効に活用しているとはいえない。
【０００５】
本発明は、このような事情に鑑みてなされたもので、ＰＯＩ情報を有効に活用可能な技術を提供することを目的とする。
【課題を解決するための手段】
【０００６】
本発明は上記の目的を達成するためになされたもので、車載装置であって、場所に関する情報であるＰＯＩ情報を記憶するＰＯＩ情報記憶手段と、前記ＰＯＩ情報を出力装置に出力する出力制御手段と、入力装置から、前記出力装置に出力されたＰＯＩ情報のうち少なくとも１つの指示を受け付ける受付手段と、前記受け付けたＰＯＩ情報を既知ＰＯＩ情報として記憶する既知ＰＯＩ情報記憶手段と、を有し、前記出力制御手段は、前記出力装置に、前記ＰＯＩ情報を、前記既知ＰＯＩ情報に応じて異なる出力形態で出力することを特徴とする。
【発明の効果】
【０００７】
本発明による技術によれば、ＰＯＩ情報を有効に活用することが可能となる。
【発明を実施するための最良の形態】
【０００８】
以下、本発明の一実施形態を、図面を参照して詳細に説明する。
【０００９】
まず、本実施形態のナビゲーションシステム１の構成例を、図１を参照して説明する。ナビゲーションシステム１は、車両（図示略）に搭載されている。図１において、ナビゲーションシステム１は、角速度センサ１０１、車速センサ１０２、ＧＰＳ（Global Positioning System）受信装置１０３、演算部１０４、記憶装置１０５、入力装置１０６、ディスプレイ１０７、音声出力装置１０８、通信インタフェース１０９、通信端末１１０等を有する。
【００１０】
角速度センサ１０１は、車両のヨーレイトを検出することで車両の方位の変化を検出する。車速センサ１０２は、車両のトランスミッションの出力軸の回転に比例した時間間隔で出力されるパルスをカウントすることにより、車速を算出する。
【００１１】
ＧＰＳ受信装置１０３は、ＧＰＳ衛星からの信号を受信し、車両とＧＰＳ衛星間との距離及び距離の変化率を測定することで、車両の位置、進行方位、進行速度等を測定する。
【００１２】
記憶装置１０５は、例えば、ＣＤ-Ｒ（Compact Disc-Recordable）やＤＶＤ-ＲＡＭ（Digital Versatile Disk-Random Access Memory）等の記憶メディア及び当該記憶メディアの駆動装置、ＨＤＤ等であり、地図データ、ＰＯＩ情報テーブル、表示形態情報テーブル、既知リスト、到着履歴情報テーブル、ジャンルリスト等を記憶する。ＰＯＩ情報テーブルは、複数のＰＯＩ情報を含む。各ＰＯＩ情報は、店舗や施設等の位置情報、提供可能なサービス等を含む。表示形態情報テーブルは、後述する既知リストに登録されているＰＯＩ情報の店舗や施設等の位置を示すアイコンの表示形態を示す。既知リストは、ＰＯＩ情報の店舗や施設等のうち、ユーザが周知しているものである。到着履歴情報テーブルは、車両が到着した位置の履歴情報である。ジャンルリストは、ＰＯＩ情報の店舗や施設等を、ユーザが任意の設定でジャンル分けしたものである。これらの情報の詳細については後述する。
【００１３】
入力装置１０６は、例えば、リモコン及びリモコン受信部、タッチパネル、スイッチ等である。
【００１４】
ディスプレイ１０７は、地図を表示し、表示した地図上に、現在位置、アイコン等を合成して表示する。音声出力装置１０８は、例えばスピーカ等であり、誘導案内のための音声等を出力する。
【００１５】
通信インタフェース１０９は、通信端末１１０と接続するためのインタフェースである。通信端末１１０は、例えば携帯電話等であり、図示しない携帯電話網や公衆網等の通信ネットワークと接続するための通信装置である。
【００１６】
演算部１０４は、上述した各周辺装置の動作の制御を行うためのものであり、ＡＤ変換器１２１、カウンタ１２２、ＲＡＭ１２３、ＲＯＭ１２４、ＣＰＵ（Central Processing Unit）１２５等を有する。
【００１７】
ＡＤ変換器１２１は、角速度センサ１０１の信号（アナログ）をデジタル信号に変換する。カウンタ１２２は、車速センサ１０２から出力されるパルス数を例えば０．１秒毎にカウントする。ＲＡＭ１２３は、受信した交通情報、ＣＰＵ１２５による演算データ、記憶装置１０５から読み出したデータ等を格納する。ＲＯＭ１２４は、プログラムやデータ等を格納する。
【００１８】
ＣＰＵ１２５は、ＲＯＭ１２４から読み出したプログラムを実行することにより、現在位置算出部１５１、表示処理部１５２、既知登録処理部１５３、ジャンル登録処理部１５４、到着処理部１５５等を実現する。
【００１９】
現在位置算出部１５１は、車両の現在位置を算出する。この、現在位置算出部１５１の現在位置算出処理は、従来技術と同じである。表示処理部１５２は、地図やアイコン、ＰＯＩ情報等をディスプレイ１０７に表示するように制御する。既知登録処理部１５３は、ユーザに指定されたＰＯＩ情報を既知リストに追加登録する。ジャンル登録処理部１５４は、ユーザに指定されたＰＯＩ情報をジャンルリストに追加登録する。到着処理部１５５は、車両の到着した位置が、ジャンルリストに含まれているものであるか否か判定する。
【００２０】
なお、図示しないが、ナビゲーションシステム１は、ＣＰＵ１２５がＲＯＭ１２４から読み出したプログラムを実行することにより、ダイクストラ法等による経路探索機能、推奨経路の誘導機能、住所、電話番号、地名やランドマーク等の検索機能等、従来技術のナビゲーションシステムの有する機能を有していてもよい。
【００２１】
次に、記憶装置１０５に格納されている地図データ、ＰＯＩ情報テーブル、表示形態情報テーブル、既知リスト、到着履歴情報テーブル、ジャンルリスト等について説明する。
【００２２】
まず、地図データについて説明する。本実施形態では、地図データは、緯度及び経度により一意に決定される複数のメッシュ、及び、各メッシュ内の位置を示すＸＹ座標を含むものとする。各メッシュは、メッシュＩＤで示される。地図データは、メッシュＩＤ、及び、そのメッシュＩＤにおけるＸＹ座標を含む複数の地図の画像データ、道路データ、住所データ、地名データ等を含む。地図データ上の位置は、メッシュＩＤ、及び、ＸＹ座標により一意に示される。
【００２３】
道路データは、２点間を結ぶ１つ以上の線分で近似し、それらの線分を、その始点と終点のＸＹ座標によって示すものとする。以下、この線分をリンクといい、リンクの両端の点をノードという。
【００２４】
次に、ＰＯＩ情報テーブルの一例について、図２を参照して説明する。
【００２５】
図２において、ＰＯＩ情報テーブル２０１は、ＩＤ２１１、位置２１２、詳細情報２１３、有効期限２１４等を有する。各行のＩＤ２１１、位置２１２、詳細情報２１３、有効期限２１４等は互いに対応付けられている。
【００２６】
ＩＤ２１１は、ＰＯＩ情報の識別情報である。位置２１２は、対応するＩＤ２１１のＰＯＩ情報の店舗や施設等の位置である。具体的には、例えば、この位置２１２は、メッシュＩＤ、ＸＹ座標や緯度経度等である。詳細情報２１３は、対応するＩＤ２１１のＰＯＩ情報の店舗や施設等に関する情報である。具体的には、例えば、詳細情報２１３には、店舗や施設等の名称、サービス等の特徴、営業時間、電話番号、住所、画像、動画、音声データ等が含まれる。有効期限２１４は、対応するＩＤ２１１のＰＯＩ情報の有効期限である。ＣＰＵ１２５は、ＰＯＩ情報テーブル２０１に、現在日時が有効期限２１４を過ぎたものが含まれる場合、その行を削除する。
【００２７】
なお、ＰＯＩ情報テーブル２０１は、ナビゲーションシステム１の出荷時等に予め格納されているものでもよく、また、サーバ（図示略）等から送信されたものでもよい。
【００２８】
次に、表示形態情報テーブルの一例について、図３を参照して説明する。
【００２９】
図３において、表示形態情報テーブル３０１は、ＩＤ３１１、位置３１２、再生フラグ３１３、既知フラグ３１４等を有する。各行のＩＤ３１１、位置３１２、再生フラグ３１３、既知フラグ３１４等は互いに対応付けられている。
【００３０】
ＩＤ３１１は、ＰＯＩ情報の識別情報であり、上述のＰＯＩ情報テーブル２０１のＩＤ２１１と同じである。位置３１２は、対応するＩＤ３１１のＰＯＩ情報の店舗や施設等の位置である。具体的には、例えば、この位置３１２は、メッシュＩＤ，ＸＹ座標や緯度経度等である。この位置３１２は、上述のＰＯＩ情報テーブル２０１の位置２１２と同じである。再生フラグ３１３は、対応するＩＤ３１１のＰＯＩ情報テーブルの詳細情報を表示したか否かを示す。図３の例では、再生フラグ３１３「０」が表示しないことを示し、再生フラグ３１３「１」が表示したことを示す。既知フラグ３１４は、対応するＩＤ３１１のＰＯＩ情報テーブルが既知リストに登録されたか否かを示す。図３の例では、既知フラグ３１４「０」が登録されていないことを示し、既知フラグ３１４「１」が登録されていることを示す。
【００３１】
なお、表示形態情報テーブル３０１のＩＤ３１１、位置３１２内の情報は予め格納されており、再生フラグ３１３、既知フラグ３１４内の情報は、後述する動作例により格納される。ＰＯＩ情報テーブル２０１がナビゲーションシステム１の出荷時等に予め格納されている場合、表示形態情報テーブル３０１も共に格納されてもよい。また、ＰＯＩ情報テーブル２０１がサーバ等から送信されるものである場合、表示形態情報テーブル３０１も共に送信されてもよい。
【００３２】
既知リストについて、図４を参照して説明する。
【００３３】
図４において、既知リスト４０１は、ＩＤ４１１、位置４１２等を有する。各行のＩＤ４１１、位置４１２等は互いに対応付けられている。
【００３４】
ＩＤ４１１は、ＰＯＩ情報の識別情報であり、上述のＰＯＩ情報テーブル２０１のＩＤ２１１、表示形態情報テーブル３０１のＩＤ３１１と同じである。位置４１２は、対応するＩＤ４１１のＰＯＩ情報の店舗や施設等の位置である。具体的には、例えば、この位置４１２は、メッシュＩＤ、ＸＹ座標や緯度経度等である。この位置４１２は、上述のＰＯＩ情報テーブル２０１の位置２１２、表示形態情報テーブル３０１の位置３１２と同じである。
【００３５】
なお、既知リスト４０１内の情報は、後述する動作例により格納される。
【００３６】
到着履歴情報テーブルについて、図５を参照して説明する。
【００３７】
図５において、到着履歴情報テーブル５０１は、日時５１１、位置５１２、ＩＤ５１３等を有する。各行の日時５１１、位置５１２、ＩＤ５１３等は互いに対応付けられている。
【００３８】
日時５１１は、車両の到着した日時である。位置５１２は、対応する日時５１１に、車両の到着した位置である。ＩＤ５１３は、対応する位置５１２近傍の店舗や施設等のＰＯＩ情報の識別情報である。なお、図５において、ＩＤ５１３が「−」であるものは、対応する位置５１２近傍が、ＰＯＩ情報テーブルに含まれる店舗や施設等でないことを示す。
【００３９】
到着履歴情報テーブル５０１内の情報は、後述する動作例により格納される。
【００４０】
ジャンルリストについて、図６を参照して説明する。
【００４１】
図６において、ジャンルリスト６０１は、ＩＤ６１１、位置６１２、ジャンル６１３、到着フラグ６１４、コンプリートフラグ６１５等を有する。各行のＩＤ６１１、位置６１２、ジャンル６１３、到着フラグ６１４、コンプリートフラグ６１５等は互いに対応付けられている。
【００４２】
ＩＤ６１１は、ＰＯＩ情報の識別情報であり、上述のＰＯＩ情報テーブル２０１のＩＤ２１１、表示形態情報テーブル３０１のＩＤ３１１、既知リスト４０１のＩＤ４１１と同じである。位置６１２は、対応するＩＤ６１１のＰＯＩ情報の店舗や施設等の位置である。具体的には、例えば、この位置６１２は、メッシュＩＤ、ＸＹ座標や緯度経度等である。この位置６１２は、上述のＰＯＩ情報テーブル２０１の位置２１２、表示形態情報テーブル３０１の位置３１２、既知リスト４０１の位置４１２と同じである。ジャンル６１３は、対応するＩＤ６１１のＰＯＩ情報の店舗や施設等のジャンルである。従来、ＰＯＩ情報には、例えば「コンビニエンスストア」、「ガソリンスタンド」というような種別情報が含まれている場合もあるが、このジャンル６１３は、予めＰＯＩ情報に含まれている種別情報とは別に、ユーザが任意に設定することの可能なジャンルである。これにより、例えば、ＰＯＩ情報では「イタリアン」、「中華料理」というように異なる種別に属しているＰＯＩ情報でも、同じジャンルに属するものとして扱うことが可能となる。到着フラグ６１４は、対応するＩＤ６１１のＰＯＩ情報の店舗や施設等に到着したことがあるか否かを示す。図６の例では、到着フラグ６１４「０」は、到着したことがないことを示し、到着フラグ６１４「１」は、到着したことがあることを示す。コンプリートフラグ６１５は、同一のジャンル６１３において、所定数以上のＰＯＩ情報の店舗や施設等に到着したか否かを示す。図６の例では、コンプリートフラグ６１５「０」は、所定数以上のポイントに到着したことを示し、コンプリートフラグ６１５「１」は、所定数以上のポイントに到着したことを示す。
【００４３】
ジャンルリスト６０１内の情報は、後述する動作例により格納される。
【００４４】
次に、動作例を説明する。
【００４５】
まず、現在位置算出部１５１が、車両の現在位置を算出する動作例を説明する。上述のように、現在位置算出部１５１が、車両の現在位置を算出する動作は従来技術のナビゲーションシステムと同じであるので、詳細な説明は省略する。例えば、現在位置算出部１５１は、現在位置を、センサにより取得した進行方位、距離及び地図データ等から算出してもよく、ＧＰＳ受信装置１０３により受信した位置、進行方向、進行方位等から算出してもよい。また、現在位置算出部１５１は、センサにより取得した進行方位、距離及び地図データ等から算出した現在位置を、ＧＰＳ受信装置１０３により受信した位置等により補正してもよい。
【００４６】
次に、ＰＯＩ情報を再生する動作例について、図７を参照して説明する。
【００４７】
表示処理部１５２は、再生するＰＯＩ情報の指示を受け付ける（Ｓ７０１）。そのために、表示処理部１５２は、例えば、ＰＯＩ情報の一覧をディスプレイ１０７、音声出力装置１０８等に出力する。
【００４８】
ＰＯＩ情報の一覧をディスプレイ１０７等に出力した場合の画面例を、図８に示す。図８において、画面８０１は、領域８１１、領域８１２を有する。
【００４９】
領域８１１は、地図を表示する。表示処理部１５２は、地図に、ＰＯＩ情報テーブルに含まれている店舗や施設等を示すアイコンを重ねて領域８１１に表示させる。そのために、表示処理部１５２は、地図データの、表示形態情報テーブル３０１の各行の位置３１２で示される位置に、アイコンを重ねて表示する。ここで、表示処理部１５２は、表示形態情報テーブル３０１の各行の再生フラグ３１３、既知フラグ３１４に応じて、アイコンの表示形態を変更する。本実施形態では、詳細情報を再生済みか否か（再生フラグ３１３が「０」であるか、あるいは、「１」であるか）、及び、既知リストに登録済みであるか否か（既知フラグ３１４が「０」であるか、あるいは、「１」であるか）により、表示形態を変更するものとする。図８の例では、アイコン８２１は、再生フラグ３１３「０」、既知フラグ３１４「０」である行の店舗や施設等を示す。また、アイコン８２２は、再生フラグ３１３「１」、既知フラグ３１４「０」である行の店舗や施設等を示す。
【００５０】
領域８１２は、ＰＯＩ情報の一覧を表示する。この領域８１２に表示される情報は、例えば、ＰＯＩ情報テーブル２０１の各行の詳細２１３に含まれている店舗や施設等の名称である。本実施形態では、既知リストに登録済みであるか否か（既知フラグ３１４が「０」であるか、あるいは、「１」であるか）により、一覧に表示するか否かを変更するものとする。即ち、既知リストに登録済みであれば、そのＰＯＩ情報テーブルを領域８１２に表示しないものとする。或いは、既知リストに登録済みであるか否かにより、色、フォントを変更する等してもよい。
【００５１】
ユーザは、入力装置１０６を用いて、領域８１１に表示されているアイコンのうち何れかを指定する。又は、ユーザは、領域８１２に表示されているＰＯＩ情報のうち何れかを指定する。これにより、再生するＰＯＩ情報を指定する。
【００５２】
なお、表示処理部１５２は、領域８１１と領域８１２とをリンクさせてもよい。具体的には、例えば、表示処理部１５２は、領域８１２でＰＯＩ情報が選択された場合、領域８１１にて、選択されたＰＯＩ情報の位置を示すアイコンの表示形態を変更してもよい。
【００５３】
図７において、表示処理部１５２は、指定されたＰＯＩ情報の再生フラグを更新する（Ｓ７０２）。具体的には、例えば、表示処理部１５２は、表示形態情報テーブル３０１の各行を参照して、Ｓ７０１で指定されたＰＯＩ情報の識別情報と一致するＩＤ３１１を検索し、該当する行の再生フラグ３１３を「１」とする。
【００５４】
次に、表示処理部１５２は、指示されたＰＯＩ情報の詳細情報を読み出す（Ｓ７０３）。具体的には、例えば、表示処理部１５２は、ＰＯＩ情報テーブル２０１の各行を参照して、Ｓ７０１で指定されたＰＯＩ情報の識別情報と一致するＩＤ２１１を検索し、該当する行の詳細２１３を読み出す。上述のように、この詳細２１３には、店舗や施設等の名称、サービス等の特徴、営業時間、電話番号、住所、画像、動画、音声データ等が含まれる。
【００５５】
表示処理部１５２は、読み出した詳細情報を出力する（Ｓ７０４）。この詳細情報をディスプレイ１０７等に出力した場合の画面例を、図９に示す。図９において、画面９０１は、領域９１１を有する。領域９１１は、表示処理部１５２が、Ｓ７０３の処理で読み出した店舗や施設等の名称、サービス等の特徴、営業時間、電話番号、住所、画像、動画等を含む詳細情報を表示するものである。
【００５６】
上述のように、表示処理部１５２は、表示形態情報テーブル３０１の再生フラグ３１３に応じて、アイコンの表示形態を変更する。従って、上述の動作例により再生フラグ３１３が更新されると、アイコンの表示形態が変更される。これにより、ユーザは、どのＰＯＩ情報を再生したかを認識することが容易となる。
【００５７】
次に、既知リストに登録する動作例について、図１０を参照して説明する。
【００５８】
既知登録処理部１５３は、既知リストに登録するＰＯＩ情報の指示を受け付ける（Ｓ１００１）。この具体例は、上述のＳ７０１と同じであるので省略する。
【００５９】
既知登録処理部１５３は、指定されたＰＯＩ情報の既知フラグを更新する（Ｓ１００２）。具体的には、例えば、表示処理部１５２は、表示形態情報テーブル３０１の各行を参照して、Ｓ１００１で指定されたＰＯＩ情報の識別情報と一致するＩＤ３１１を検索し、該当する行の既知フラグ３１４を「１」とする。
【００６０】
次に、既知登録処理部１５３は、指定されたＰＯＩ情報を既知として登録する（Ｓ１００３）。具体的には、例えば、既知登録処理部１５３は、ＰＯＩ情報テーブル２０１から、Ｓ１００１で指定されたＰＯＩ情報の識別情報と一致するＩＤ２１１を検索し、該当する行の位置２１２を読み出す。次に、既知登録処理部１５３は、既知リスト４０１に、Ｓ１００１で指定されたＰＯＩ情報の識別情報、及び、上述の処理で読み出した位置２１２を、新たな行のＩＤ４１１、位置４１２として追加格納する。
【００６１】
上述のように、表示処理部１５２は、表示形態情報テーブル３０１の再生フラグ３１３、既知フラグ３１４に応じて、ＰＯＩ情報の一覧、及び、アイコンの表示形態を変更する。
【００６２】
上述の処理により、図３に一例を示す表示形態情報テーブル３０１となり、かつ、図４に一例を示す既知リスト４０１となった場合の画面例を図１１に示す。図１１において、画面１１０１は、領域１１１１、領域１１１２を有する。領域１１１１は、上述の図８の領域８１１に該当する。同様に、領域１１１２は、上述の図８の領域８１２に該当する。
【００６３】
領域１１１１のアイコン１１２１は、既知リストに登録されたＰＯＩ情報の店舗や施設の位置、即ち、既知リスト４０１において、既知フラグ３１４「１」である行の店舗や施設等を示す。
【００６４】
領域１１１２は、ＰＯＩ情報の一覧を表示する。ここで、表示処理部１５２は、表示形態情報テーブル３０１の既知フラグ３１４が「１」であるものは、その行のＰＯＩ情報テーブルの店舗や施設の名称等を表示しない。
【００６５】
なお、ここでは、既知リストに登録されたＰＯＩ情報は、その詳細情報が再生されたか否かは問わないものとし、登録されたものは全て同一の表示形態のアイコンとする。しかし、これに限られるわけではなく、既知リストに登録されたＰＯＩ情報でも、その詳細情報が再生されたか否かに応じて、アイコンの表示形態を変更しても良い。
【００６６】
上述のように、既知として登録したものは、ＰＯＩ情報の一覧のリストに表示しないようにすることが可能となる。これにより、ユーザの良く知らない店舗や施設等のＰＯＩ情報のリストのみを表示等することが可能となる。従って、限られた大きさのディスプレイ１０７でも、ユーザの良く知らないＰＯＩ情報のみを効果的に表示することが可能となる。
【００６７】
また、詳細情報を再生したもの、既知として登録されているものに応じて、アイコンの表示形態を変更することが可能となる。従って、ユーザは、どの店舗や施設等の詳細情報を参照したか否か、及び、よく知っている場所か否かを認識することが容易となる。
【００６８】
次に、ジャンルリストに登録する場合の動作例を、図１２を参照して説明する。
【００６９】
図１２において、ジャンル登録処理部１５４は、ジャンルリストに登録するＰＯＩ情報、及び、そのジャンル等の指示を受け付ける（Ｓ１２０１）。そのために、ジャンル登録処理部１５４は、例えば、ＰＯＩ情報の一覧をディスプレイ１０７、音声出力装置１０８等に出力する。ＰＯＩ情報の一覧をディスプレイ１０７等に出力した場合の画面例は、上述の図８と同じである。ユーザは、入力装置１０６を用いて、領域８１１に表示されているアイコン、又は、領域８１２に表示されているＰＯＩ情報のうち何れかを指定する。次に、ジャンル登録処理部１５４は、指定されたＰＯＩ情報のジャンルの指示を受け付ける。そのために、ジャンル登録処理部１５４は、図１３に一例を示す画面例をディスプレイ１０７に表示させる。図１３において、画面１３０１は、ボタン１３１１、ボタン１３１２等を有する。ボタン１３１１は、既に登録されているジャンルから選択することを指示するためのものである。ボタン１３１２は、新たにジャンルを登録することを指示するためのものである。ボタン１３１１が押下等された場合、ジャンル登録処理部１５４は、ジャンルリスト６０１から、各々が異なるジャンル６１３を読出し、読み出したジャンル６１３をディスプレイ１０７に表示させる。ユーザは、入力装置１０６を用いて、表示されたジャンルのうち任意の１つを選択する。ジャンル登録処理部１５４は、選択されたジャンルを、指定されたＰＯＩ情報のジャンルとする。また、ボタン１３１２が押下等された場合、ジャンル登録処理部１５４は、フリーワードの入力を受け付けるための画面をディスプレイ１０７に表示させる。ユーザは、入力装置１０６を用いて、登録したいジャンルを入力する。ジャンル登録処理部１５４は、入力された文字列を、指定されたＰＯＩ情報テーブルのジャンルとする。
【００７０】
図１２において、ジャンル登録処理部１５４は、受け付けたＰＯＩ情報テーブル及びジャンルをジャンルリストに登録する（Ｓ１２０２）。具体的には、例えば、ジャンル登録処理部１５４は、ＰＯＩ情報テーブル２０１から、Ｓ１２０１で指定されたＰＯＩ情報の識別情報と一致するＩＤ２１１を検索し、該当する行の位置２１２を読み出す。次に、ジャンル登録処理部１５４は、ジャンルリスト６０１に、Ｓ１２０１で指定されたＰＯＩ情報の識別情報、上述の処理で読み出した位置２１２、及び、Ｓ１２０１で指定されたジャンルを、新たな行のＩＤ６１１、位置６１２、ジャンル６１３として追加格納する。さらに、ジャンル登録処理部１５４は、追加格納した行の到着フラグ６１４、コンプリートフラグ６１５に「０」を格納する。
【００７１】
このように、ジャンルリストに登録すると、そのジャンルリストに格納されているＰＯＩ情報の一覧を出力することが可能となる。この一覧を出力した画面例を図１４に示す。図１４において、画面１４０１の領域１４１１は、図６に一例を示すジャンルリスト６０１のジャンル６１３「辛いもの」に属しているＰＯＩ情報の一覧を表示するものである。表示処理部１５２は、ジャンルリスト６０１の到着フラグ６１４に応じて、領域１４１１にアイコン１４２１を表示する。図１４の場合、表示処理部１５２は、ジャンルリスト６０１の到着フラグ６１４が「１」であるものに、アイコン１４２１を表示している。また、表示処理部１５２は、ジャンルリスト６０１のコンプリートフラグ６１５に応じて、領域１４１２のアイコン１４２１の表示形態を変更する。画面１４０１は、ジャンルリスト６０１のコンプリートフラグ６１５が「０」である場合の例である。
【００７２】
次に、車両が何れかの場所に到着する場合の動作例を、図１５を参照して説明する。なお、この動作例を起動するタイミングは任意であるが、所定時間毎や、ナビゲーションシステム１の起動時、設定されている目的地又は経由地への到着時等でもよい。
【００７３】
図１５において、到着処理部１５５は、車両が何れかの場所に到着したか否か判定する（Ｓ１５０１）。この判定条件は任意でよいが、例えば、以下が考えられる。
【００７４】
（１）設定されている目的地又は経由地に到着した場合
（２）エンジン停止後所定時間（例えば１０分）経過した場合
なお、上記（２）の場合、エンジン起動時に、前回エンジンを停止してから所定時間経過しているか否かにより判定してもよい。
【００７５】
Ｓ１５０１の判定の結果、車両が何れかの場所に到着した場合、到着処理部１５５は、到着した位置が、ジャンルリストに登録されている店舗や施設等の位置であるか否か判定する（Ｓ１５０２）。そのために、例えば、到着処理部１５５は、上記（１）の判定条件によりＳ１５０１の判定を行なった場合、ジャンルリスト６０１の位置６１２に、到着したと判定された目的地又は経由地の位置と一致するものが含まれているか否かにより判定する。また、到着処理部１５５は、上記（２）の判定条件によりＳ１５０１の判定を行なった場合、ジャンルリスト６０１の位置６１２の何れかが、車両の現在位置から所定距離内であるか否かにより判定する。
【００７６】
Ｓ１５０２の判定の結果、到着した位置が、ジャンルリストに登録されている店舗や施設等の位置である場合、到着処理部１５５は、ジャンルリストの到着フラグを更新する（Ｓ１５０３）。そのために、例えば、到着処理部１５５は、ジャンルリスト６０１から、上述のＳ１５０２の処理で到着した位置と一致する店舗や施設等の位置６１２を検索し、検索した行の到着フラグ６１４を「１」とする。
【００７７】
次に、到着処理部１５５は、今回到着した店舗や施設の属するジャンルにおいて、店舗や施設に所定数以上到着しているか否か判定する（Ｓ１５０４）。そのために、到着処理部１５５は、到着処理部１５５は、ジャンルリスト６０１から、上述のＳ１５０２の処理で到着した位置と一致する店舗や施設等の位置６１２を検索し、検索した行のジャンル６１３を読み出す。次に、到着処理部１５５は、ジャンルリスト６０１から、読み出したジャンル６１３を含む行を選択し、選択した行の到着フラグ６１４が「１」であるものをカウントする。この結果、選択した行の到着フラグ６１４「１」の数が所定数以上である場合、到着処理部１５５は、今回到着した店舗や施設の属するジャンルにおいて、店舗や施設に所定数以上到着していると判定する。
【００７８】
Ｓ１５０４の判定の結果、今回到着した店舗や施設の属するジャンルにおいて、店舗や施設に所定数以上到着している場合、到着処理部１５５は、ジャンルリストのコンプリートフラグを更新する（Ｓ１５０５）。そのために、例えば、到着処理部１５５は、ジャンルリスト６０１から、上述のＳ１５０４の処理で選択した行のコンプリートフラグ６１５を「１」とする。
【００７９】
上述のように、表示処理部１５２は、ジャンルリスト６０１のコンプリートフラグ６１５に応じて、領域１４１１の一覧のアイコン１４２１の表示形態を変更する。上述の動作例によりジャンルリスト６０１のコンプリートフラグ６１５が更新された場合の画面例を、図１６に示す。図１６において、画面１６０１は、領域１６１１を有する。領域１６１１は、上述の図１４の領域１４１１に該当する。領域１６１１のアイコン１６２１は、上述のアイコン１４２１と異なるものとなる。
【００８０】
このように、ジャンルリストに登録されたものは、同じジャンルに登録されている店舗や施設等に到着した回数に応じて、アイコンの表示形態を変更することが可能となる。
【００８１】
以上、この発明の実施形態を、図面を参照して詳述してきたが、具体的な構成はこの実施形態に限られるものではなく、この発明の要旨を逸脱しない範囲の設計変更等も含まれる。
【００８２】
例えば、上述の実施形態では、地図データ上の位置は、メッシュＩＤ及びＸＹ座標により示されるものとしたが、これに限られるわけではない。位置は、例えば、緯度及び経度のみで示されてもよく、また、ＸＹ座標のみで示されても良い。また、緯度及び経度やＸＹ座標等に、他の情報を組み合わせることにより示されても良い。
【００８３】
また、上述の実施形態では、既知リストに登録された店舗や施設の位置を示すアイコンは、表示形態を変更して表示するものとしたが、これに限られるわけではない。既知リストに登録された店舗や施設の位置を示すアイコンを表示しないように制御してもよい。
【００８４】
また、上述の実施形態では、コンプリート判定された場合、ジャンルリストの一覧のアイコンの表示形態を変更するものとしたが、これに限られるわけではない。例えば、地図に重ねて表示するアイコンの表示形態を変更してもよい。
【００８５】
また、コンプリート判定の閾値を複数設定してもよい。具体的には、例えば、今回到着した店舗や施設の属するジャンルにおいて、店舗や施設に第１の数以上到着している場合、第１のアイコンとし、同一のジャンルにおいて、店舗や施設に第２の数以上到着している場合、第２のアイコンとしてもよい。このような閾値の数は任意でよい。
【００８６】
また、到着判定では、現在の日時から所定時間内に到着したもののみ、その店舗や施設等に到着したと判定してもよい。
【００８７】
また、上述の実施形態において、ＰＯＩ情報の一覧の表示形態の変更パターンは、予め定められていてもよく、また、ユーザが任意で設定可能としてもよい。同様に、アイコンも、予め定められていてもよく、また、ユーザが任意で設定可能としてもよい。
【図面の簡単な説明】
【００８８】
【図１】同実施形態において、ナビゲーションシステムの構成例を示す図である。
【図２】同実施形態において、ＰＯＩ情報テーブルの一例を示す図である。
【図３】同実施形態において、表示形態情報テーブルの一例を示す図である。
【図４】同実施形態において、既知リストの一例を示す図である。
【図５】同実施形態において、到着履歴情報テーブルの一例を示す図である。
【図６】同実施形態において、ジャンルリストの一例を示す図である。
【図７】同実施形態において、ＰＯＩ情報の詳細情報を出力する動作例を説明する図である。
【図８】同実施形態において、ＰＯＩ情報の一覧を表示する画面例を示す図である。
【図９】同実施形態において、詳細情報を表示する画面例を示す図である。
【図１０】同実施形態において、既知リストに登録する動作例を説明する図である。
【図１１】同実施形態において、ＰＯＩ情報の一覧を表示する画面例を示す図である。
【図１２】同実施形態において、ジャンルリストに登録する動作例を説明する図である。
【図１３】同実施形態において、ジャンルリストに登録するための画面例を示す図である。
【図１４】同実施形態において、ジャンルリストの一覧を表示する画面例を示す図である。
【図１５】同実施形態において、車両が到着した場合の動作例を説明する図である。
【図１６】同実施形態において、ジャンルリストの一覧を表示する画面例を示す図である。
【符号の説明】
【００８９】
１：ナビゲーションシステム、１０１：角速度センサ、１０２：車速センサ、１０３：ＧＰＳ受信装置、１０４：演算部、１０５：記憶装置、１０６：入力装置、１０７：ディスプレイ、１０８：音声出力装置、１０９：通信インタフェース、１１０：通信端末、１２１：ＡＤ変換器、１２２：カウンタ、１２３：ＲＡＭ、１２４：ＲＯＭ、１２５：ＣＰＵ、１５１：現在位置算出部、１５２：表示処理部、１５３：既知登録処理部、１５４：ジャンル登録処理部、１５５：到着処理部、２０１：ＰＯＩ情報テーブル、３０１：表示形態情報テーブル、４０１：既知リスト、５０１：到着履歴情報テーブル、６０１：ジャンルテーブル
【図１】
2008058617.tif 000003
【図２】
2008058617.tif 000004
【図３】
2008058617.tif 000005
【図４】
2008058617.tif 000006
【図５】
2008058617.tif 000007
【図６】
2008058617.tif 000008
【図７】
2008058617.tif 000009
【図８】
2008058617.tif 000010
【図９】
2008058617.tif 000011
【図１０】
2008058617.tif 000012
【図１１】
2008058617.tif 000013
【図１２】
2008058617.tif 000014
【図１３】
2008058617.tif 000015
【図１４】
2008058617.tif 000016
【図１５】
2008058617.tif 000017
【図１６】
2008058617.tif 000018